(57)【要約】【課題】  画面上にアノテーションデータを付加可能な電子描画システムにおいて、画面変更情報又はアノテーション情報を元に画面のキャプチャの制御を行い、画面表示状態をキャプチャする際の手間の軽減、また有効な会議履歴としてのキャプチャを行う為の画面保存装置を提供する事を目的とする。【解決手段】  画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有する。【選択図】  図１
2006146311.tif 000002
【特許請求の範囲】
【請求項１】
画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする画面保存装置。
【請求項２】
前記請求項１に記載の画面保存装置において、
電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする画面保存装置。
【請求項３】
前記請求項２に記載の画面保存装置において、
情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする画面保存装置。
【請求項４】
画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする画面保存方法。
【請求項５】
前記請求項４に記載の画面保存方法において、
電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする画面保存方法。
【請求項６】
前記請求項５に記載の画面保存方法において、
情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする画面保存方法。
【請求項７】
画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする手順を、読み出し可能なプログラムの形で記憶した記憶媒体。
【請求項８】
前記請求項７に記載の記憶媒体において、
電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする手順を、読み出し可能なプログラムの形で記憶した記憶媒体。
【請求項９】
前記請求項８に記載の記憶媒体において、
情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする手順を、読み出し可能なプログラムの形で記憶した記憶媒体。
【請求項１０】
画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とするプログラム。
【請求項１１】
前記請求項１０に記載のプログラムにおいて、
電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とするプログラム。
【請求項１２】
前記請求項１１に記載のプログラムにおいて、
情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とするプログラム。
【請求項１３】
前記請求項７〜９のいずれかに記載の記憶媒体において、
前記記憶媒体として、サーバ・コンピュータおよびクライアント・コンピュータが読む事ができるプログラムを格納したフロッピー（登録商標）ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、不揮発性のメモリカード、ＲＯＭ等を用いることを特徴とする記憶媒体。
【発明の詳細な説明】
【技術分野】
【０００１】
本発明は、画面上にアノテーションデータを付加可能な電子描画システムにおいて、画面変更情報又はアノテーション情報を元に画面のキャプチャの制御を行う方法・装置及びプログラムを記憶した記憶媒体に関するものである。
【背景技術】
【０００２】
近年のネットワークの発展に伴い、コンピュータシステムを利用した電子会議システムが普及してきている。特に大画面表示装置を利用した電子会議システムなどでは、大画面表示装置を会議参加者の共有表示装置として利用している。また単なる表示装置としての用途の他に電子ホワイトボード等、電子描画装置としての使われ方も増えてきている。このような電子会議システムは、１台のＰＣに大画面表示装置を接続し、会議参加者が画面に表示された情報を共有、編集する形態のものである。共有画面への入力端末としては有線又は無線のマウス、キーボード、タブレット、画面上で直接座標入力が可能なデジタイザ等が使用されている。
【０００３】
一方ＮｏｔｅＰＣ、ＰＤＡ（Ｐｅｒｓｏｎａｌ  Ｄｉｇｉｔａｌ  Ａｓｓｉｓｔａｎｔｓ）等の情報端末機器も普及してきており、両者を組み合わせた電子会議システムも見受けられる。
【０００４】
これらの多くの情報端末は無線又は有線のインタフェースを持ち、表示装置を持つものであればその多くは液晶表示画面を持ち、データの入力方法としてはペンによるタブレット式の入力装置やキーボードなどの入力装置を備えており、そのため前述の電子会議システムの入力端末としても使用することが出来る。
【０００５】
また、ＰＣからの画面出力情報上に描画を行うシステムにおいては、上記入力装置からの入力は、ＰＣのオペレーションを行う為の座標指定を行うマウスカーソル等の座標指定入力手段として使用するのか、あるいは共有画面上へ手書き入力や注釈など描画を行う為のアノテーション情報の座標入力情報として使用するのかの選択が必要であり、その方法として、デバイス毎に役割を割り振る方法や、スイッチなどの何らかの入力切替え情報を元に切替えを行う方法等がある。
【０００６】
このような電子会議システムの会議情報を保存する形として、表示画面の変遷を動画として保存する方法や画面を静止画としてキャプチャする方法、画面構成情報を保存する方法等が挙げられる。特開平１０−２１２２４公報に開示された「情報処理機器」のように、文章切替えタイミングでそれまで表示されていた文書の状態情報を生成して保存し再表示時には文書解析装置から再構成を行い連続的にアプリケーションの切替えを行うことが出来るという提案もなされている。キャプチャを行う方法は表示画面そのものを画像フォーマットの形式として保存するためプラットフォームに依存せずに様々な機器から会議後に会議を参照する場合においても有効である。また上記の電子会議システムにおいては、通常の共有表示画面と座標入力装置から入力された手書き入力や注釈等のアノテーション情報を同一画像内にキャプチャし、またキャプチャをある間隔で行うことにより後から参照可能な会議履歴としても使用することが出来る。動画として保存する方法においては画面の変遷をそのまま動画として再現させることが出来るため会議を保存する手段としても利用されている。
【特許文献１】特開平１０−２１２２４号公報
【発明の開示】
【発明が解決しようとする課題】
【０００７】
しかしながら上記のような電子会議システムにおいて、動画として保存する場合では保存するデータ量が大きくなり過ぎ、またそのため目的の保存データを見つけづらい、画面のキャプチャを行う場合では、キャプチャのタイミングでボタンを押す動作が必要で手間がかかる、という問題があった。さらにキャプチャのタイミングの設定によっては同じ画像をキャプチャしてしまったり、アノテーションをつけた画像を保存し忘れてしまったりしてしまうという問題点があった。また、アノテーションをつけた画像において画像のみの表示の変更が行われた場合では、アノテーションをつけた対象の画像のみが変わりアノテーション描画位置は変化しない為、アノテーションと背景画像との関連がなくなり画像に対する注釈という意味においてアノテーションは意味のないものになってしまっていた。そのため背景画像が変更される前にキャプチャし保存する操作が必要であった。
【０００８】
本発明は上記のような問題点を鑑みてなされたもので、画面上にアノテーションデータを付加可能な電子描画システムにおいて、画面表示状態をキャプチャする際の手間の軽減、また有効な会議履歴としてのキャプチャを行う為の画面保存装置を提供する。
【課題を解決するための手段】
【０００９】
上記の目的を達成するために、請求項１に記載の画面保存装置は、画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする。
【００１０】
請求項２に記載の画面保存装置は、前記請求項１に記載の画面保存装置において、電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする。
【００１１】
請求項３に記載の画面保存装置は、前記請求項２に記載の画面保存装置において、情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする。
【００１２】
請求項４に記載の画面保存方法は、画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする。
【００１３】
請求項５に記載の画面保存方法は、前記請求項４に記載の画面保存方法において、電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする。
【００１４】
請求項６に記載の画面保存方法は、前記請求項５に記載の画面保存方法において、情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする。
【００１５】
請求項７に記載の記憶媒体は、画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする手順を、読み出し可能なプログラムの形で記憶した記憶媒体である。
【００１６】
請求項８に記載の記憶媒体は、前記請求項７に記載の記憶媒体において、電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする手順を、読み出し可能なプログラムの形で記憶した記憶媒体である。
【００１７】
請求項９に記載の記憶媒体は、前記請求項８に記載の記憶媒体において、情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする手順を、読み出し可能なプログラムの形で記憶した記憶媒体である。
【００１８】
請求項１０に記載のプログラムは、画面上にアノテーションデータを付加可能な電子描画システムにおいて、画面表示状態を保存するキャプチャ手段と、画面上へ付加されたアノテーション情報を記憶する為の記憶手段と、画面表示変更のメッセージを監視する変更監視手段と、画面表示変更の有無とアノテーション情報からキャプチャ処理を行うかどうかの判断を行うキャプチャ判断手段と、を有することを特徴とする。
【００１９】
請求項１１に記載のプログラムは、前記請求項１０に記載のプログラムにおいて、電子描画システムは、少なくとも１つの情報端末と通信回線を介して接続され、情報端末は通信手段と、電子描画システムへメッセージを送信するメッセージを指定するためのメッセージ指定手段と、メッセージを受信するアプリケーションを指定するためのアプリケーション指定手段と、と有することを特徴とする。
【００２０】
請求項１２に記載のプログラムは、前記請求項１１に記載のプログラムにおいて、情報端末と送信先アプリケーションとの関連を記憶する記憶手段と、情報端末からのメッセージが対応アプリケーションの表示画面変更を伴うものかどうかの判断を行う為のメッセージ判断手段とを備えることを特徴とする。
【００２１】
請求項１３に記載の記憶媒体は、前記請求項７〜９のいずれかに記載の記憶媒体において、前記記憶媒体として、サーバ・コンピュータおよびクライアント・コンピュータが読む事ができるプログラムを格納したフロッピー（登録商標）ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、不揮発性のメモリカード、ＲＯＭ等を用いることを特徴とする記憶媒体である。
【発明の効果】
【００２２】
以上説明したとおり、本発明によれば、画面上にアノテーションデータを付加可能な電子描画システムにおいて、画面表示状態をキャプチャする際の手間の軽減、また有効な会議履歴としてのキャプチャを行う為の画面保存装置を提供する事が出来る。
【発明を実施するための最良の形態】
【００２３】
以下、本発明の実施例について図面を参照して詳細に説明する。
【００２４】
（実施の形態１）
図１は本発明を適用した画面保存装置の全体構成を示すブロック図である。
【００２５】
本図において０は電子描画システムのコンピュータ本体である。１はＰＣからの出力画像やアノテーションを表示する表示手段である。２は・ＰＣの各種制御を行う制御手段である。３は情報記憶手段であり、ＦｌａｓｈメモリやＲＡＭ等の不揮発性メモリやＨＤＤ等の外部記憶装置から成り、アノテーションの描画位置や形などのアノテーションオブジェクトや端末から送信されたメッセージがどのアプリケーションと関連付けられているかの情報であるアプリケーション端末対応テーブル等が保存される。４は表示画面変更の有無の情報とアノテーションオブジェクトの編集の有無からキャプチャを行うかどうかの判断を行うキャプチャ判断手段である。５は表示画面の変更の有無を監視する変更監視手段である。６は表示画面を画像として保存を行うキャプチャ手段である。表示画面とは画面中に描画されたアノテーションオブジェクトとデスクトップやウインドウなどの背景画像を合成し表示されたものである。７はＰＣへ座標情報を入力するマウス、タブレット、等の入力手段である。７は座標入力可能なものであればデジタイザ、タッチパネル等特に指定はしないものとする。８はＰＣと他の情報端末との通信を制御する為のネットワークインタフェース部である。１１はＰＣの通信手段８と通信を行いＰＣへ各種操作メッセージを送るＰＤＡ（Ｐｅｒｓｏｎａｌ  Ｄｉｇｉｔａｌ  Ａｓｓｉｓｔａｎｔｓ）等から成る複数の情報端末機器（以下、単に情報端末という。）である。１０はＰＣと情報端末１０とを有線又は無線で通信を行う為のＬＡＮなどのネットワークである。
【００２６】
図４は画面保存装置のキャプチャ処理手順を示したフローチャートである。
【００２７】
まずＳ４１において各種初期化を行う。ここではマウスモードで始めるものとする。マウスモードとはマウスなどの座標入力を、通常のＰＣのオペレーションを行う為の座標指定を行うマウスカーソル等の座標指定として処理するものである。また本実施例では情報端末を入力、指示手段として使用可能である。Ｓ４２においてアノテーションモードへ変更する場合はＳ４３にてアノテーションモードへ移る。アノテーションモードとは、入力手段による座標入力を、共有画面上へ手書き入力や注釈など描画を行う為のアノテーション情報の座標指定として処理するものである。アノテーションモードへの遷移のタイミングは、オペレータのボタン押下等の指示によるもの、ある画面表示のタイミング等が挙げられる。Ｓ４４において、アノテーションモード中は図５のキャプチャサブルーチンで画面の変更の有無とアノテーション編集の有無を監視し、これらの情報を元にキャプチャを行う。Ｓ４５においてマウスモードへ変更する場合は、アノテーションモード中に新規アノテーションオブジェクトが描画されたか編集があった場合に備えキャプチャサブルーチン処理を行う。Ｓ４７にてマウスモードへ移行する。
【００２８】
図６は操作指示メッセージが端末から送信された場合のＰＣの処理を示したフローチャートである。本図においてＳ６１で端末から送信された操作メッセージを受信する。端末から送信されるメッセージは入力手段７による入力と同様のものである。Ｓ６２においてキャプチャサブルーチンへ移行する。Ｓ６３において端末からのメッセージに対応したＰＣの処理を行う。
【００２９】
図５は画面保存装置のキャプチャサブルーチン処理手順を示したフローチャートである。
【００３０】
Ｓ５１において変更監視手段により画面変更の指示があると判断された場合はＳ５２へ移動する。画面変更の指示とは、ウインドウ内のＰａｇｅＵｐ，ＰａｇｅＤｏｗｎ，ウインドウ最大化最小化操作等背景画像の変更を伴うものである。変更の範囲は表示画面全体であってもウインドウなどの画面の一部の領域でも構わない。Ｓ５２では変更監視手段によりアノテーションデータが新規に作成された、又はアノテーションデータに変更があったと判断されるとＳ５３にて画面のキャプチャを行う。このときアノテーションデータの表示は消去してもしなくても構わない。Ｓ５４では、新規に画面変更やアノテーションが行われない限りキャプチャが行われないようにアノテーションデータと画面変更の履歴をリセットする。Ｓ５５にて画面の変更、編集等を行い、Ｒｅｔｕｒｎする。本実施例ではＳ５１及びＳ５２にて画面の変更及びアノテーションデータの変更があった場合のみキャプチャを行うが、Ｓ５１、Ｓ５２のどちらか一方の条件でキャプチャを行うとしても構わない。
【００３１】
本実施の形態１によれば、画面上にアノテーションデータを付加可能な電子描画システムにおいて、アノテーションの有無と表示画面変更を監視し変更のある場合のみ背景画像変更前のタイミングで自動的にキャプチャすることにより、画面表示状態をキャプチャする際の手間の軽減、また有効な会議履歴としてのキャプチャを行うことが出来る。
【００３２】
（実施の形態２）
以下に詳述する実施の形態２においても、図１に示した構成を用いる。また図４、図５の画面保存装置のキャプチャ処理手順を示したフローチャート及び画面保存装置のキャプチャサブルーチン処理手順は実施の形態１と同様の処理を行う。ただし図１の情報端末１１は以下の構成を用いるものとする。
【００３３】
図２は本発明を適用した情報端末１１の構成を示すブロック図である。
【００３４】
本図において１３は、画面保存装置のＰＣへメッセージを送信するメッセージを指定するためのメッセージ指定手段である。１２はメッセージを受信するアプリケーションを指定するためのアプリケーション指定手段である。１４は画面保存装置のＰＣへの通信を行う為の通信を制御するネットワークインタフェース部である。
【００３５】
図３は本実施例における記憶手段３に記憶される情報であるアプリケーション端末対応テーブルの一例を示した図である。本図は端末から送信されたメッセージがどのアプリケーションと関連付けられているかを示すテーブルである。
【００３６】
図１において９は情報端末からのメッセージが対応アプリケーションの表示画面変更を伴うものかどうかの判断を行う為のメッセージ判断手段である。
【００３７】
図７は実施の形態２における情報端末の処理手順を示したフローチャートである。
【００３８】
Ｓ７１で情報端末は描画システムのＰＣに対してマウス操作やアノテーション描画の為の座標指定入力手段として動作する。Ｓ７２において情報端末でメッセージを送る対象となるアプリケーション及び指定アプリケーションへ送るメッセージを選択し送信する。メッセージの内容はウインドウの移動、最大化、最小化、ページスクロール、新規アプリケーションの立ち上げなどアプリケーション操作可能なメッセージである。Ｓ７３で終了しない場合はＳ７１に戻る。
【００３９】
図８は本実施の形態２における操作メッセージが端末から送信された場合のＰＣの処理を示したフローチャートである。
【００４０】
本図においてＳ８１で端末から送信された操作メッセージを受信する。端末から送信されるメッセージは入力手段７による入力と同様のものである。Ｓ８２においてアプリケーション端末対応テーブルを参照し、端末からのメッセージがどのアプリケーションに対してのものかを判断する。アプリケーション端末対応テーブルは手動で設定を行っても、端末からの指定アプリケーション情報を元に動的に作成しても構わない。Ｓ８３において、端末からのメッセージが同一のものであっても受信指定アプリケーションが異なればアプリケーションの動作は異なる場合もあるため、メッセージ判断手段により受信メッセージが指定アプリケーションに対して画面変更を伴う動作かどうかの判断を行う。Ｓ８３においてメッセージが画面変更を伴うものであると判断された場合はＳ８４でキャプチャサブルーチン処理を行い、Ｓ８５にてメッセージに対応したＰＣの画面変更を伴う動作を行う。Ｓ８３においてメッセージが画面変更を伴わないと判断された場合はＳ８６においてメッセージに対応したＰＣの処理を行う。
【００４１】
本実施の形態２によれば、画面上にアノテーションデータを付加可能な電子描画システムにおいて、アノテーションの有無と表示画面変更を監視し変更のある場合のみ背景画像変更前のタイミングで自動的にキャプチャすることにより、画面表示状態をキャプチャする際の手間の軽減、また有効な会議履歴としてのキャプチャを行うことが出来る。また、情報端末からのＰＣに対してのメッセージが画面変更を伴うものかを判断し、伴う場合のみキャプチャサブルーチン処理を行うようにした為、画面変更を伴わない端末からのメッセージ送信に対してはキャプチャサブルーチン処理を省く事が出来、ＰＣの処理の負荷を軽減させる事が出来る。
【図面の簡単な説明】
【００４２】
【図１】本発明を適用した画面保存装置の全体構成を示すブロック図である。
【図２】本発明を適用した情報端末１１の構成を示すブロック図である。
【図３】記憶手段３に記憶される情報であるアプリケーション端末対応テーブルの一例を示した図である。
【図４】画面保存装置のキャプチャ処理手順を示したフローチャートである。
【図５】画面保存装置のキャプチャサブルーチン処理手順を示したフローチャートである。
【図６】操作指示メッセージが端末から送信された場合のＰＣの処理を示したフローチャートである。
【図７】実施の形態２における情報端末の処理手順を示したフローチャートである。
【図８】本実施の形態２における操作メッセージが端末から送信された場合のＰＣの処理を示したフローチャートである。
【符号の説明】
【００４３】
０  コンピュータ
１  表示手段
２  制御手段
３  情報記憶手段
４  キャプチャ判断手段
５  変更監視手段
６  キャプチャ手段
７  入力手段
８  ネットワークインタフェース部
９  メッセージ判断手段
１０  ネットワーク
１１  情報端末
１２  アプリケーション指定手段
１３  メッセージ指定手段
１４  ネットワークインタフェース部
【図１】
2006146311.tif 000003
【図２】
2006146311.tif 000004
【図３】
2006146311.tif 000005
【図４】
2006146311.tif 000006
【図５】
2006146311.tif 000007
【図６】
2006146311.tif 000008
【図７】
2006146311.tif 000009
【図８】
2006146311.tif 000010